(57)【要約】【課題】隣接画素への光のしみ出し（鮮鋭度の悪化）や同一画素内の色分離を防止しながら、視野角の方向によって表示色がシフトするのを防止する。【解決手段】本発明に係るフィルムシート２０は、複数のサブピクセルで１画素を構成した液晶パネル１０の表面に設けられるフィルムシートであって、液晶パネル１０から出射された光を、複数の領域に分割して分割前の同一画素内で領域ごとに異なる方向に屈折させる入射面３０と、入射面３０で屈折させた光を再度屈折させて入射面３０での屈折前の光路と平行な方向に出射させる出射面４０と、を有する。【選択図】図１
2008176005.tif 000002
【特許請求の範囲】
【請求項１】
複数のサブピクセルで１画素を構成した表示パネルの表面に設けられるフィルムシートであって、
前記表示パネルから出射された光を、複数の領域に分割して分割前の同一画素内で領域ごとに異なる方向に屈折させる第１の光屈折部と、
前記第１の光屈折部で屈折させた光を再度屈折させて前記第１の光屈折部による屈折前の光路と平行な方向に出射させる第２の光屈折部と、
を有することを特徴とするフィルムシート。
【請求項２】
請求項１に記載のフィルムシートにおいて、
前記第１，第２の光屈折部が稠密なプリズム構造を有することを特徴とするフィルムシート。
【請求項３】
請求項１又は２に記載のフィルムシートにおいて、
前記第１，第２の光屈折部が、前記サブピクセルから更に微細な複数のサブピクセル群を形成することを特徴とするフィルムシート。
【請求項４】
請求項１〜３のいずれか一項に記載のフィルムシートにおいて、
前記第１，第２の光屈折部を有する基板層を備え、
前記第１，第２の光屈折部が前記基板層の表面と裏面とに設けられていることを特徴とするフィルムシート。
【請求項５】
請求項１〜４のいずれか一項に記載のフィルムシートにおいて、
前記分割領域が、中心の領域を基準としてそこから端部の領域に向かうにつれて幅広となっていることを特徴とするフィルムシート。
【請求項６】
請求項１〜５のいずれか一項に記載のフィルムシートにおいて、
前記基板層が、前記サブピクセルの長さ方向と直交する方向にはプリズムとして機能することを特徴とするフィルムシート。
【請求項７】
請求項１〜６のいずれか一項に記載のフィルムシートにおいて、
前記基板層が、前記サブピクセルの長さ方向と直交する方向にはプリズムとして機能し、前記サブピクセルの長さ方向と平行な方向にはレンズとして機能することを特徴とするフィルムシート。
【請求項８】
請求項１〜７のいずれか一項に記載のフィルムシートにおいて、
前記光が、前記基板層に対し直交する方向で入射することを特徴とすることを特徴とするフィルムシート。
【請求項９】
請求項１〜８のいずれか一項に記載のフィルムシートにおいて、
前記基板層から出射された光を拡散する光拡散層を有することを特徴とするフィルムシート。
【請求項１０】
請求項９に記載のフィルムシートにおいて、
前記光拡散層がマイクロレンズアレイで構成されていることを特徴とするフィルムシート。
【請求項１１】
請求項１〜１０のいずれか一項に記載のフィルムシートが表示パネルの表面に設けられていることを特徴とする表示装置。
【請求項１２】
請求項１〜１０のいずれか一項に記載のフィルムシートと、
１画素中のサブピクセルが赤色部，緑色部，青色部からなる表示パネルと、
を備え、
前記表示パネルの表面に前記フィルムシートが設けられ、前記フィルムシートが設けられた位置で、前記サブピクセルからの光を混色することを特徴とする表示装置。
【発明の詳細な説明】
【技術分野】
【０００１】
本発明は、複数のサブピクセルで１画素を構成した表示装置及びその表面に設けられるフィルムシートに関する。
【背景技術】
【０００２】
近年、２枚のガラス基板の間に透明な液晶材料を封入した液晶ディスプレイが広く普及しつつある。液晶ディスプレイには色の３原色となるＲ（レッド），Ｇ（グリーン），Ｂ（ブルー）のカラーフィルタが画素ごとに１つずつ配置されており、液晶ディスプレイは各カラーフィルタを透過した光によりカラー画像を表示するようになっている。
【０００３】
当該液晶ディスプレイでは、同一画素内で色分離が生じたりするといった表示機能を損なう不都合を有していたため、その不都合を解消すべく、特殊なフイルタパネルを液晶表示画面の前面に設けたり（特許文献１参照）、Ｒ，Ｇ，Ｂの主光線を集束・屈折・拡散してその光路を変更させたり（特許文献２参照）する技術が提案されているが、そのような技術をもってしても画素間の隙間が大きくなり、画素格子が逆に目立つという課題を有していた。
【０００４】
そこで本出願人は出願時に未公開の特許文献３において、隣接画素への光のしみ出し（鮮鋭度の悪化）を防ぎつつも同一画素内の色分離を防ぐ技術を提案している。具体的に特許文献３に記載された技術は、Ｒ，Ｇ，Ｂの各サブピクセルのカラーフィルタを具備する液晶パネル（１）上に凹レンズ状の拡散レンズ（６）を設けて、Ｒ，Ｇ，Ｂのカラーフィルタを透過した各光をその画素範囲内で拡散させるというものである（段落0028，図１参照）。
【特許文献１】特開平５−１１２４３号公報
【特許文献２】特開平８−２０２２９２号公報
【特許文献３】特願２００６−０１９２０６号明細書
【発明の開示】
【発明が解決しようとする課題】
【０００５】
確かに、特許文献３に記載された技術では、隣接画素への光のしみ出し（鮮鋭度の悪化）を防ぎつつも同一画素内で光の色分離を防止することができるから、滑らかでシャープな画像を表示することはできる。しかしながら、特許文献３に記載された技術では、Ｒ，Ｇ，Ｂのカラーフィルタを透過した各光は拡散レンズ中で単に拡散するのみで、拡散レンズから出射される際の出射量はその画素をどの方向から見ても均一というわけではないから、視野角の方向によって表示色がシフトする（視認する角度を変えると表示色が異なる）という問題がある。
【０００６】
そのような問題を解決するため、拡散レンズを厚くすることでレンズのパワーを抑止し表示色のシフトを低減するということも提案することはできるが、そのような提案では視認する角度による表示色のシフトという問題を解決するには十分でなく、その一方で表示装置自体が厚くなってしまうという別の問題を誘発する。
【０００７】
本発明の主な目的は、隣接画素への光のしみ出し（鮮鋭度の悪化）や同一画素内の色分離を防止しながら、視野角の方向によって表示色がシフトするのを防止することである。
【課題を解決するための手段】
【０００８】
上記課題を解決するため第１の発明は、
複数のサブピクセルで１画素を構成した表示パネルの表面に設けられるフィルムシートであって、
前記表示パネルから出射された光を、複数の領域に分割して分割前の同一画素内で領域ごとに異なる方向に屈折させる第１の光屈折部と、
前記第１の光屈折部で屈折させた光を再度屈折させて前記第１の光屈折部による屈折前の光路と平行な方向に出射させる第２の光屈折部と、
を有することを特徴としている。
【０００９】
第１の発明においては、
前記第１，第２の光屈折部が稠密なプリズム構造を有するのが好ましい。
【００１０】
第１の発明においては、
前記第１，第２の光屈折部が、前記サブピクセルから更に微細な複数のサブピクセル群を形成するのが好ましい。
【００１１】
第１の発明においては、
前記第１，第２の光屈折部を有する基板層を備え、
前記第１，第２の光屈折部が前記基板層の表面と裏面とに設けられているのが好ましい。
【００１２】
第１の発明においては、
前記分割領域が、中心の領域を基準としてそこから端部の領域に向かうにつれて幅広となっているのが好ましい。
【００１３】
第１の発明においては、
前記基板層が、前記サブピクセルの長さ方向と直交する方向にはプリズムとして機能するのが好ましい。
【００１４】
第１の発明においては、
前記基板層が、前記サブピクセルの長さ方向と直交する方向にはプリズムとして機能し、前記サブピクセルの長さ方向と平行な方向にはレンズとして機能するのが好ましい。
【００１５】
第１の発明においては、
前記光が、前記基板層に対し直交する方向で入射するのが好ましい。
【００１６】
第１の発明においては、
前記基板層から出射された光を拡散する光拡散層を有するのが好ましく、
前記光拡散層がマイクロレンズアレイで構成されているのが好ましい。
【００１７】
第２の発明は、
第１の発明に係るフィルムシートが表示パネルの表面に設けられている表示装置である。
【００１８】
第３の発明は、
第１の発明に係るフィルムシートと、
１画素中のサブピクセルが赤色部，緑色部，青色部からなる表示パネルと、
を備え、
前記表示パネルの表面に前記フィルムシートが設けられ、前記フィルムシートが設けられた位置で、前記サブピクセルからの光を混色する表示装置である。
【発明の効果】
【００１９】
本発明によれば、隣接画素への光のしみ出し（鮮鋭度の悪化）や同一画素内の色分離を防止しながら、視野角の方向によって表示色がシフトするのを防止することができる。
【発明を実施するための最良の形態】
【００２０】
以下、図面を参照しながら本発明を実施するための最良の形態について説明する。ただし、発明の範囲は以下の実施形態及び図示例に限定されるものではない。
【００２１】
図１に示す通り、本発明に係る表示装置１は、バックライト（図示略）と、多数の画素がマトリクス状に配置された液晶パネル１０と、その表面を構成するフィルムシート２０とを有しており、バックライトの光が液晶パネル１０とフィルムシート２０とを透過して文字や図形、画像等が表示されるようになっている。
【００２２】
表示パネルとしての液晶パネル１０は第１のパネル層１１、フィルタ層１２及び第２のパネル層１３を有している。第１のパネル層１１は偏光板、ガラス基板、透明電極、配向膜、液晶層、配向膜、透明電極がこの順に層状に形成されたもので、当該透明電極上にフィルタ層１２が設けられている。
【００２３】
フィルタ層１２はＲ，Ｇ，Ｂのカラーフィルタ１２ａ，１２ｂ，１２ｃと支持部材１２ｄとを有しており、Ｒ，Ｇ，Ｂのカラーフィルタ１２ａ，１２ｂ，１２ｃが支持部材１２ｄで支持された構成を有している。Ｒ，Ｇ，Ｂのカラーフィルタ１２ａ，１２ｂ，１２ｃは図１中紙面の表側から裏側にかけて（又は裏側から表側にかけて）延在している。支持部材１２ｄには一画素ごとに格子状の黒色境界線が形成されており、Ｒ，Ｇ，Ｂのカラーフィルタ１２ａ，１２ｂ，１２ｃがその黒色境界線のなかに１つずつ配置された構成となっている。Ｒ，Ｇ，Ｂのカラーフィルタ１２ａ，１２ｂ，１２ｃは１組で１画素を構成しており、それら各カラーフィルタ１２ａ，１２ｂ，１２ｃがその画素のサブピクセルとなっている。
【００２４】
第２のパネル層１３はガラス基板、偏光板がこの順に層状に形成されたもので、フィルタ層１２上に設けられている。以上の通り、液晶パネル１０は第１，第２のパネル層１１，１３の２枚のガラス基板でフィルタ層１２を挟持した構造を有している。
【００２５】
フィルムシート２０はガラス、ＰＥＴ（PolyEthylene Terephthalate）、アクリル樹脂等で構成されたシート状のフィルムであり、表示装置１の表面を構成している。フィルムシート２０は、稠密なプリズム構造を有する基板層２１と、光拡散機能を具備する光拡散層２２とを有している。
【００２６】
基板層２１は、Ｒ，Ｇ，Ｂのカラーフィルタ１２ａ，１２ｂ，１２ｃを透過してきた光（平行光）を、第１の光屈折部としての入射面３０で複数の領域に分割してその分割した光を同一画素内で領域ごとに互いに異なる複数の方向に屈折させ、その後に第２の光屈折部としての出射面４０でそれら屈折した光をもとの平行光に戻すように再度屈折させる機能を有している。
【００２７】
詳しくは、図２に示す通り、基板層２１の入射面３０のうち、Ｒのカラーフィルタ１２ａに対応する領域が５つの領域Ｒ３１〜Ｒ３５（第１〜第５の領域Ｒ３１〜Ｒ３５）に分割されており、第３の領域Ｒ３３を中心として第２，第４の領域Ｒ３２，Ｒ３４と第１，第５の領域Ｒ３１，Ｒ３５とが左右対称になっている。第２，第４の領域Ｒ３２，Ｒ３４の各幅Ｗ２，Ｗ４は第３の領域Ｒ３３の幅より広く、第１，第５の領域Ｒ３１，Ｒ３５の各幅Ｗ１，Ｗ５は第２，第４の領域Ｒ３２，Ｒ３４の幅Ｗ２，Ｗ４より広くなっている。
【００２８】
すなわち、第１〜第５の領域Ｒ３１〜Ｒ３５のうち、中心の第３の領域Ｒ３３を基準としてそこから端部の領域に向かうにつれて（第２，第４の領域Ｒ３２，Ｒ３４から第１，第５の領域Ｒ３１，Ｒ３５に向かうにつれて）幅広になっている。
【００２９】
Ｒのカラーフィルタ１２ａに対応する入射面３０では、第１〜第５の領域Ｒ３１〜Ｒ３５ごとに第１〜第５の入射面Ｒ３１ａ〜Ｒ３５ａの傾きが異なっており、それら第１〜第５の入射面Ｒ３１ａ〜Ｒ３５ａから入射した光に対応して、出射面４０には第１〜第５の出射面Ｒ４１ａ〜Ｒ４５ａが形成されている。第１〜第５の入射面Ｒ３１ａ〜Ｒ３５ａと第１〜第５の出射面Ｒ４１ａ〜Ｒ４５ａとでは、面同士（例えば第３の入射面３３ａとその出射面４３ａ）が互いに平行でかつその幅も同一となっている。
【００３０】
以上の構成から、Ｒのカラーフィルタ１２ａを透過してきた光（平行光）は、第１〜第５の領域Ｒ３１〜Ｒ３５に分割された状態で第１〜第５の入射面Ｒ３１ａ〜Ｒ３５ａで屈折・拡散し、その後に同一画素内で互いに異なる方向に向けて基板層２１中を伝播して、最終的に第１〜第５の出射面Ｒ４１ａ〜Ｒ４５ａで再度屈折し、平行光として出射面４０から出射されるようになっている。
【００３１】
他方、基板層２１の入射面３０のうち、Ｇのカラーフィルタ１２ｂに対応する領域も、図３に示す通り、５つの領域Ｇ３１〜Ｇ３５（第１〜第５の領域Ｇ３１〜Ｇ３５）に分割されており、第３の領域Ｇ３３を中心として第２，第４の領域Ｇ３２，Ｇ３４と第１，第５の領域Ｇ３１，Ｇ３５とが左右対称になっている。第１〜第５の領域Ｇ３１〜Ｇ３５の各幅Ｗ１〜Ｗ５の関係、及び第１〜第５の入射面Ｇ３１ａ〜Ｇ３５ａと第１〜第５の出射面Ｇ４１ａ〜Ｇ４５ａとの関係も、上記で説明済みのＲのカラーフィルタ１２ａに対応する領域と同様となっている（図３参照）。
【００３２】
基板層２１の入射面３０のうち、Ｂのカラーフィルタ１２ｃに対応する領域も、図４に示す通り、５つの領域Ｂ３１〜Ｂ３５（第１〜第５の領域Ｂ３１〜Ｂ３５）に分割されており、第３の領域Ｂ３３を中心として第２，第４の領域Ｂ３２，Ｂ３４と第１，第５の領域Ｂ３１，Ｂ３５とが左右対称になっている。第１〜第５の領域Ｂ３１〜Ｂ３５の各幅Ｗ１〜Ｗ５の関係、及び第１〜第５の入射面Ｂ３１ａ〜Ｂ３５ａと第１〜第５の出射面Ｂ４１ａ〜Ｂ４５ａとの関係も、上記で説明済みのＲのカラーフィルタ１２ａに対応する領域と同様となっている（図４参照）。
【００３３】
以上の構成を具備する基板層２１は、Ｒ，Ｇ，Ｂのカラーフィルタ１２ａ，１２ｂ，１２ｃの長さ方向（図１中紙面の表側から裏側に向かう方向）に対し直交する方向に対しては、断面形状が図１〜４に示すプリズム状を呈しプリズムとして機能するようになっている。
【００３４】
他方、基板層２１は、Ｒ，Ｇ，Ｂのカラーフィルタ１２ａ，１２ｂ，１２ｃの長さ方向と平行な方向に対しては、断面形状が図５に示す通りに一定の曲率を有する非球面状を呈しレンズとして機能するようになっている。入射面３０の各凸部３６は、１組のＲ，Ｇ，Ｂのカラーフィルタ１２ａ，１２ｂ，１２ｃを１画素として１画素ごとに１つずつ対応している。
なお、基板層２１は１画素に対して複数のレンズを配置させたものであってもよい。
【００３５】
図１に示す光拡散層２２は、半球状を呈した微小なレンズを多数配列したマイクロレンズアレイ（Micro Lens Array）で構成されており、基板層２１を透過した光をその画素範囲内において拡散する機能を有している。光拡散層２２はフィルムシート２０において必ずしも必須な要素ではなく、特に設けなくてもよい。
【００３６】
続いて、本発明に係る表示装置１及びそのフィルムシート２０の作用について説明する。
【００３７】
バックライトが発光すると、平行光が液晶パネル１０中を透過しながらＲ，Ｇ，Ｂのカラーフィルタ１２ａ，１２ｂ，１２ｃをそれぞれ透過し、そのままフィルムシート２０の基板層２１に対し直交する方向で入射する。
【００３８】
フィルムシート２０に入射した光のうち、Ｒのカラーフィルタ１２ａを透過した光（平行光）は、図２に示す通り、そのＲのカラーフィルタ１２ａに対応する第１〜第５の領域Ｒ３１ａ〜Ｒ３５ａで分割された状態で第１〜第５の入射面Ｒ３１ａ〜Ｒ３５ａに入射する。
【００３９】
その入射した光は、第１〜第５の入射面Ｒ３１ａ〜Ｒ３５ａで互いに異なる方向に屈折・拡散して基板層２１中を伝播し、その後に第１〜第５の出射面Ｒ４１ａ〜Ｒ４５ａで再度屈折して平行光に戻り、それら第１〜第５の出射面Ｒ４１ａ〜Ｒ４５ａから光拡散層２２を透過して出射される。
【００４０】
フィルムシート２０に入射した光のうち、Ｇのカラーフィルタ１２ｂを透過した光（平行光）も上記と同様で、図３に示す通り、そのＧのカラーフィルタ１２ｂに対応する第１〜第５の領域Ｇ３１ａ〜Ｇ３５ａで分割された状態で第１〜第５の入射面Ｇ３１ａ〜Ｇ３５ａに入射する。
【００４１】
その入射した光は、第１〜第５の入射面Ｇ３１ａ〜Ｇ３５ａで互いに異なる方向に屈折・拡散して基板層２１中を伝播し、その後に第１〜第５の出射面Ｇ４１ａ〜Ｇ４５ａで再度屈折して平行光に戻り、それら第１〜第５の出射面Ｇ４１ａ〜Ｇ４５ａから光拡散層２２を透過して出射される。
【００４２】
フィルムシート２０に入射した光のうち、Ｂのカラーフィルタ１２ｃを透過した光（平行光）も上記と同様で、図４に示す通り、そのＢのカラーフィルタ１２ｃに対応する第１〜第５の領域Ｂ３１ａ〜Ｂ３５ａで分割された状態で第１〜第５の入射面Ｂ３１ａ〜Ｂ３５ａに入射する。
【００４３】
その入射した光は、第１〜第５の入射面Ｂ３１ａ〜Ｂ３５ａで互いに異なる方向に屈折・拡散して基板層２１中を伝播し、その後に第１〜第５の出射面Ｂ４１ａ〜Ｂ４５ａで再度屈折して平行光に戻り、それら第１〜第５の出射面Ｂ４１ａ〜Ｂ４５ａから光拡散層２２を透過して出射される。
【００４４】
このようにＲ，Ｇ，Ｂのカラーフィルタ１２ａ，１２ｂ，１２ｃを透過した光は、フィルムシート２０の基板層２１に入射する前の段階では、１画素で１組のＲ，Ｇ，Ｂの３色を表現するに過ぎないのに対し、基板層２１から出射された後の段階では、図１に示す通りに１組のＲ，Ｇ，Ｂのサブピクセル（光）を１単位としてそのサブピクセルから更に微細な５つのサブピクセル群５１〜５５を形成し、１画素で５組のＲ，Ｇ，Ｂの３色を表現するようになっている。
【００４５】
以上の実施形態では、Ｒ，Ｇ，Ｂのカラーフィルタ１２ａ，１２ｂ，１２ｃを透過した各光は、フィルムシート２０の基板層２１で出射位置が入射位置に対応して制御され、その画素をどの方向から見ても出射量が略均一とされるから、隣接画素への光のしみ出し（鮮鋭度の悪化）や同一画素内の色分離を防止しながら、視野角の方向によって表示色がシフトするのを防止することができる。
【００４６】
また、フィルムシート２０の入射面３０において、Ｒ，Ｇ，Ｂのカラーフィルタ１２ａ，１２ｂ，１２ｃに対応する複数の領域が、中心の領域から端部の領域に向かうにつれて幅広となっているから（図２〜図４参照）、一般的に光の輝度が低いその端部の領域での受光量が増大する。そのため、Ｒ，Ｇ，Ｂのカラーフィルタ１２ａ，１２ｂ，１２ｃに対応する各領域ごとに光の受光量が均一化され、１画素内の光の輝度分布を均一化することができる。
【００４７】
さらに、基板層２１がＲ，Ｇ，Ｂのカラーフィルタ１２ａ，１２ｂ，１２ｃの長さ方向と平行な方向に対してはレンズとして機能するから（図５参照）、Ｒ，Ｇ，Ｂのカラーフィルタ１２ａ，１２ｂ，１２ｃの長さ方向と平行な方向に向けて光が拡散し、１画素内の光の輝度分布を均一化することができる。
【００４８】
なお、本発明は上記の実施形態に限定されることなく、本発明の主旨を逸脱しない範囲において種々の改良及び設計変更をおこなってもよい。
【００４９】
一の改良・設計変更事項として、基板層２１の入射面３０のうち、Ｒ，Ｇ，Ｂのカラーフィルタ１２ａ，１２ｂ，１２ｃに対応する各領域は、図２〜４に示す通りに５つの領域に分割される必要はなく、例えば１０の領域に分割されてもよいし、２０の領域に分割されてもよく、少なくとも２以上の領域に分割されればよい。
【００５０】
他の改良・設計変更事項として、基板層２１の入射面３０と出射面４０との断面形状は図２〜４に示す形状でなくてもよく、光線追跡用ソフト（サイバーネット社製ライトツールズ）で任意に設計変更可能であり、終局的には入射面３０の分割後の各領域とそれに対応する出射面４０とが、図２〜図４を用いて説明したような関係（幅，傾き）を維持することができればよい。
【００５１】
他の改良・設計変更事項として、基板層２１では、基板層２１の入射面３０と出射面４０とがプリズム構造を有しなくてもよく、これら入射面３０と出射面４０とのプリズム構造に代えて回折格子を配する構成としてもよい。
【００５２】
他の改良・設計変更事項として、表示装置１では、ディスプレイの一態様として液晶パネル１０を具備した液晶ディスプレイについて説明したが、これに代えてプラズマディスプレイや有機ＥＬ（ElectroLuminescence）ディスプレイ、ＣＲＴ（Cathode Ray Tube）ディスプレイ等を適用してもよく、複数のサブピクセルで１画素を構成する表示パネルであれば本発明に係る表示装置１及びそのフィルムシート２０をすべて適用することができる。
【図面の簡単な説明】
【００５３】
【図１】表示装置１の概略構成を示す図面（断面図）である。
【図２】基板層２１中でＲのカラーフィルタ１２ａに対応する部位の詳細な構成を示す図面（断面図）である。
【図３】基板層２１中でＧのカラーフィルタ１２ｂに対応する部位の詳細な構成を示す図面（断面図）である。
【図４】基板層２１中でＢのカラーフィルタ１２ｃに対応する部位の詳細な構成を示す図面（断面図）である。
【図５】基板層２１の図２〜図４とは異なる方向の構成を示す図面（断面図）である。
【符号の説明】
【００５４】
１  表示装置
１０  液晶パネル（表示パネル）
１１  第１のパネル層
１２  フィルタ層
１２ａ，１２ｂ，１２ｃ  カラーフィルタ（サブピクセル）
１３  第２のパネル層
２０  フィルムシート
２１  基板層
２２  光拡散層
５１〜５５  サブピクセル群
【図１】
2008176005.tif 000003
【図２】
2008176005.tif 000004
【図３】
2008176005.tif 000005
【図４】
2008176005.tif 000006
【図５】
2008176005.tif 000007